(57)【要約】【課題】出射光を、指向性を有する光と散乱光とに切り替える可能な調光装置を提供する。【解決手段】調光装置１０は、光源部１１と、光源部１１を端部に持つ導光体１２と、光源部１１における導光体１２の端部とは反対側に配設された配光変換素子と、を備え、配光変換素子の特性が可変であることを特徴とする。【選択図】図１
2015038814.tif 000002
【特許請求の範囲】
【請求項１】
光源部と、該光源部を端部に持つ導光体と、前記光源部と前記導光体との間または前記光源部における前記導光体の端部とは反対側に配設された配光変換素子と、を備え、前記配光変換素子の特性が可変であることを特徴とする調光装置。
【請求項２】
前記配光変換素子は、前記光源部の前記導光体の一端面と対向する面とは反対の面側に設けられ、前記光源部からの光を反射する反射面を有する反射ミラーを備えたパラボラミラー形状のレンズであることを特徴とする請求項１に記載の調光装置。
【請求項３】
前記レンズは、中空構造をなしていることを特徴とする請求項２に記載の調光装置。
【請求項４】
前記レンズ内は、樹脂が充填されていることを特徴とする請求項２に記載の調光装置。
【請求項５】
前記反射ミラーは、金属の蒸着膜からなることを特徴とする請求項２〜４のいずれか１項に記載の調光装置。
【請求項６】
前記反射ミラーは、誘電体ミラーからなることを特徴とする請求項２〜４のいずれか１項に記載の調光装置。
【請求項７】
前記反射ミラーの反射面に、散乱液晶セルが設けられたことを特徴とする請求項２〜５のいずれか１項に記載の調光装置。
【請求項８】
前記レンズには、微小電子機械システム制御により、前記光源部側に出し入れ可能な複数の突起が設けられたことを特徴とする請求項２〜７のいずれか１項に記載の調光装置。
【請求項９】
前記反射ミラーは、エレクトロクロミックミラーからなり、該エレクトロクロミックミラーの前記光源部と対向する面とは反対の面側に、該エレクトロクロミックミラーを透過した光を反射する反射手段が設けられたことを特徴とする請求項２に記載の調光装置。
【請求項１０】
前記配光変換素子は、前記光源部と前記導光体の一端面との間に設けられたことを特徴とする請求項１に記載の調光装置。
【請求項１１】
前記配光変換素子は、散乱液晶セルであることを特徴とする請求項１０に記載の調光装置。
【請求項１２】
前記配光変換素子は、液晶レンズであることを特徴とする請求項１０に記載の調光装置。
【請求項１３】
前記配光変換素子は、前記光源部と前記導光体の一端面との間に挿抜可能な散乱体であることを特徴とする請求項１０に記載の調光装置。
【請求項１４】
前記配光変換素子は、前記導光体の一端面に対向して配設された入光部と、該入光部と前記一端面とを光学接着が可能なゲルと、前記一端面に設けられた散乱パターンと、前記ゲルと前記一端面との境界部を、前記導光体の厚さ方向から挟持する一対の反射板と、を備えてなることを特徴とする請求項１０に記載の調光装置。
【請求項１５】
前記配光変換素子は、楔形状の導光体と、該導光体に対向し、光の入射面が鋸刃形状をなすプリズムとからなることを特徴とする請求項１０に記載の調光装置。
【請求項１６】
前記導光体は、楔形状であることを特徴とする請求項１〜１５のいずれか１項に記載の調光装置。
【請求項１７】
請求項１〜１６のいずれか１項に記載の調光装置を備えたことを特徴とする表示装置。
【請求項１８】
請求項１〜１６のいずれか１項に記載の調光装置を備えたことを特徴とする照明装置。
【発明の詳細な説明】
【技術分野】
【０００１】
本発明は、調光装置およびそれを用いた表示装置、照明装置に関する。
【背景技術】
【０００２】
異なる指向特性の出射光を得るための照明装置として、光源からの光を導光体の側方から入射させ、導光体の一方の主面から指向性を有する光を出射する第１照明装置と、光源からの光を拡散部材に入射させて拡散した光束を出射する第２照明装置とが積層された２層構造の照明装置が知られている（例えば、特許文献１参照）。第１照明装置は、高指向性の出射光を得るためのエッジライト型の照明装置であり、第２照明装置は、拡散光を得るための直下型の照明装置である。これら２つの照明装置を切り替えて操作することにより、高指向性（狭視野角）の光および拡散（広視野角）の光を得ることができる。
【先行技術文献】
【特許文献】
【０００３】
【特許文献１】特開２００８−３００２０６号公報
【発明の概要】
【発明が解決しようとする課題】
【０００４】
しかしながら、上述のように、第１照明装置と第２照明装置を積層した構造では、照明装置全体の厚みが大きくなるばかりでなく、構成部材も多くなるため、製造コストが高くなるという問題があった。また、大面積化するためには、拡散用の光源を多数設ける必要があるため、製造コストが高くなるという問題があった。
【０００５】
本発明は、上記事情に鑑みてなされたものであって、出射光を、指向性を有する光と散乱光とに切り替え可能な調光装置を提供することを目的とする。
【課題を解決するための手段】
【０００６】
本発明の調光装置は、光源部と、該光源部を端部に持つ導光体と、前記光源部と前記導光体との間または前記光源部における前記導光体の端部とは反対側に配設された配光変換素子と、を備え、前記配光変換素子の特性が可変であることを特徴とする。
【０００７】
本発明の調光装置において、前記配光変換素子は、前記光源部の前記導光体の一端面と対向する面とは反対の面側に設けられ、前記光源部からの光を反射する反射面を有する反射ミラーを備えたパラボラミラー形状のレンズであることが好ましい。
【０００８】
本発明の調光装置において、前記レンズは、中空構造をなしていることが好ましい。
【０００９】
本発明の調光装置において、前記レンズ内は、樹脂が充填されていることが好ましい。
【００１０】
本発明の調光装置において、前記反射ミラーは、金属の蒸着膜からなることが好ましい。
【００１１】
本発明の調光装置において、前記反射ミラーは、誘電体ミラーからなることが好ましい。
【００１２】
本発明の調光装置において、前記反射ミラーの反射面に、散乱液晶セルが設けられたことが好ましい。
【００１３】
本発明の調光装置において、前記レンズには、微小電子機械システム制御により、前記光源部側に出し入れ可能な複数の突起が設けられたことが好ましい。
【００１４】
本発明の調光装置において、前記反射ミラーは、エレクトロクロミックミラーからなり、該エレクトロクロミックミラーの前記光源部と対向する面とは反対の面側に、該エレクトロクロミックミラーを透過した光を反射する反射手段が設けられたことが好ましい。
【００１５】
本発明の調光装置において、前記配光変換素子は、前記光源部と前記導光体の一端面との間に設けられたことが好ましい。
【００１６】
本発明の調光装置において、前記配光変換素子は、散乱液晶セルであることが好ましい。
【００１７】
本発明の調光装置において、前記配光変換素子は、液晶レンズであることが好ましい。
【００１８】
本発明の調光装置において、前記配光変換素子は、前記光源部と前記導光体の一端面との間に挿抜可能な散乱体であることが好ましい。
【００１９】
本発明の調光装置において、前記配光変換素子は、前記導光体の一端面に対向して配設された入光部と、該入光部と前記一端面とを光学接着が可能なゲルと、前記一端面に設けられた散乱パターンと、前記ゲルと前記一端面との境界部を、前記導光体の厚さ方向から挟持する一対の反射板と、を備えてなることが好ましい。
【００２０】
本発明の調光装置において、前記配光変換素子は、楔形状の導光体と、該導光体に対向し、光の入射面が鋸刃形状をなすプリズムとからなることが好ましい。
【００２１】
本発明の調光装置において、前記導光体は、楔形状であることが好ましい。
【００２２】
本発明の表示装置は、本発明の調光装置を備えたことを特徴とする。
【００２３】
本発明の照明装置は、本発明の調光装置を備えたことを特徴とする。
【発明の効果】
【００２４】
本発明によれば、光源部からの光に指向性を付与する配光変換素子を用いることにより、調光装置から出射する光を、指向性を有する光と散乱光とに切り替えることができる。
【図面の簡単な説明】
【００２５】
【図１】調光装置の第一実施形態を示す概略図であり、（ａ）は平面図、（ｂ）は（ａ）のＡ−Ａ線に沿う断面図である。
【図２】散乱液晶セルの一実施形態を示す概略断面図である。
【図３】散乱液晶セルを構成する高分子分散液晶としてノーマルモード高分子分散液晶を用いた場合について説明する図である。
【図４】散乱液晶セルを構成する高分子分散液晶としてリバースモード高分子分散液晶を用いた場合について説明する図である。
【図５】散乱液晶セルを構成する液晶を配向させて、調光装置を用いた場合を説明する概略図であり、（ａ）は平面図、（ｂ）は導光体の一端面側から見た正面図である。
【図６】散乱液晶セルを構成する液晶を配向させずに、調光装置を用いた場合を説明する概略図であり、（ａ）は平面図、（ｂ）は導光体の一端面側から見た正面図である。
【図７】散乱液晶セルを構成する液晶を配向させた場合、または、散乱液晶セルを構成する液晶を配向させない場合において、調光装置から出射する光の指向性を示すグラフである。
【図８】調光装置の第二実施形態を示す概略図であり、（ａ）は側面図、（ｂ）は（ａ）の一部を拡大した斜視図である。
【図９】液晶レンズを用いた調光装置の使用方法を説明する概略側面図である。
【図１０】調光装置の第三実施形態を示す概略図であり、（ａ）は平面図、（ｂ）は（ａ）のＢ−Ｂ線に沿う断面図である。
【図１１】光源部と導光体の一端面との間に、散乱体を挿入していない状態を示す概略図であり、（ａ）は平面図、（ｂ）は導光体の一端面側から見た正面図、（ｃ）は（ａ）のＣ−Ｃ線に沿う断面図である。
【図１２】光源部と導光体の一端面との間に、散乱体を挿入した状態を示す概略図であり、（ａ）は平面図、（ｂ）は導光体の一端面側から見た正面図、（ｃ）は（ａ）のＤ−Ｄ線に沿う断面図である。
【図１３】調光装置の第四実施形態を示す概略断面図である。
【図１４】入光部と導光体の一端面との間にゲルを設けた調光装置の使用方法を示す概略断面図である。
【図１５】調光装置の第五実施形態を示す概略図であり、（ａ）は平面図、（ｂ）は側面図である。
【図１６】調光装置の第五実施形態の作用を示す概略平面図である。
【図１７】調光装置の第五実施形態の他の例を示す概略平面図である。
【図１８】調光装置の第六実施形態を示す概略平面図であり、調光装置を構成するパラボラミラー形状のレンズを示す図である。
【図１９】散乱液晶セルを備えたパラボラミラー形状のレンズの作用を示す概略平面図である。
【図２０】調光装置の第七実施形態を示す概略平面図であり、調光装置を構成するパラボラミラー形状のレンズを示す図である。
【図２１】複数の突起を備えたパラボラミラー形状のレンズの作用を示す概略平面図である。
【図２２】調光装置の第八実施形態を示す概略平面図であり、調光装置を構成する光源部およびパラボラミラー形状のレンズを示す図である。
【図２３】調光装置の第九実施形態を示す概略断面図である。
【図２４】調光装置の第九実施形態の作用を示す概略平面図である。
【図２５】調光装置の第十実施形態を示す概略断面図である。
【図２６】調光装置の第十実施形態の作用を示す概略平面図である。
【図２７】調光装置の第十一実施形態を示す概略図であり、（ａ）は平面図、（ｂ）は（ａ）のＥ−Ｅ線に沿う断面図である。
【図２８】調光装置の第十一実施形態から出射する光の指向性を示すグラフである。
【図２９】調光装置の第十二実施形態を示す概略平面図であり、（ａ）は全体図、（ｂ）は（ａ）において破線αで囲んだ領域を拡大した図である。
【図３０】エレクトロクロミックミラーを備えたパラボラミラー形状のレンズの作用を示す概略平面図である。
【図３１】表示装置の一実施形態を示す概略斜視図である。
【図３２】照明装置の第一実施形態として、シーリングライトを示す概略斜視図である。
【図３３】照明装置の第二実施形態として、照明スタンドを示す概略斜視図である。
【発明を実施するための形態】
【００２６】
以下、図面を参照して、調光装置およびそれを用いた表示装置、照明装置の実施形態について説明する。
なお、以下に示す実施形態は、発明の趣旨をよりよく理解させるために具体的に説明するものであり、特に指定のない限り、本発明を限定するものではない。
また、以下の説明で用いる図面は、本発明の特徴を分かりやすくするために、便宜上、要部となる部分を拡大して示している場合があり、各構成要素の寸法比率等が実際と同じであるとは限らない。
【００２７】
「調光装置」
（１）第一実施形態
図１は、調光装置の第一実施形態を示す概略図であり、（ａ）は平面図、（ｂ）は（ａ）のＡ−Ａ線に沿う断面図である。
調光装置１０は、光源部１１と、光源部１１に対向して配置され、光源部１１からの光がその一端面１２ａ側から導入されるとともに、光源部１１からの光をその長手方向に導光する導光体１２と、光源部１１と導光体１２の一端面１２ａとの間に設けられた散乱液晶セル１３と、光源部１１の導光体１２の一端面１２ａと対向する面１１ａとは反対の面側に設けられ、光源部１１からの光を反射する反射面１４ａを有する反射ミラー１４を備えたパラボラミラー形状のレンズ１５とから概略構成されている。
本実施形態では、光源部１１からの光に指向性を変化させる配光変換素子として、散乱液晶セル１３を用いている。
【００２８】
散乱液晶セル１３は、図２に示すように、高分子分散液晶２１と、高分子分散液晶２１を挟持する一対の透明導電基板２２，２３とから概略構成されている。
透明導電基板２２は、透明基板２４と、その一方の面２４ａに設けられた透明導電膜２５とから概略構成されている。
透明導電基板２３は、透明基板２６と、その一方の面２６ａに設けられた透明導電膜２７とから概略構成されている。
【００２９】
ここで、図３を参照して、散乱液晶セル１３を構成する高分子分散液晶２１としてノーマルモード高分子分散液晶を用いた場合について説明する。
図３（ａ）に示すように、透明導電基板２２，２３の間に電圧を印加していない場合、液晶３１は配向することなく、ランダムポリマー３２と同様に散乱した状態をなしている。したがって、透明導電基板２３側から散乱液晶セル１３に入射した光は、液晶３１によって散乱されて、散乱液晶セル１３から散乱光となって出射する。
一方、図３（ｂ）に示すように、透明導電基板２２，２３の間に電圧を印加した場合、液晶３１は散乱液晶セル１３の厚さ方向に配向するので、散乱液晶セル１３は透明になる。したがって、透明導電基板２３側から散乱液晶セル１３に入射した光は、液晶３１によって散乱されることなく、散乱液晶セル１３から指向性を有する光（散乱液晶セル１３の厚さ方向の指向性を有する光）となって出射する。
【００３０】
また、図４を参照して、散乱液晶セル１３を構成する高分子分散液晶２１としてリバースモード高分子分散液晶を用いた場合について説明する。
図４（ａ）に示すように、透明導電基板２２，２３の間に電圧を印加していない場合、液晶４１は、液晶ポリマー４３とともに、散乱液晶セル１３の厚さ方向と垂直な方向に配向するので、散乱液晶セル１３は透明になる。したがって、透明導電基板２３側から散乱液晶セル１３に入射した光は、液晶４１や液晶ポリマー４３によって散乱されることなく、散乱液晶セル１３から指向性を有する光（散乱液晶セル１３の厚さ方向の指向性を有する光）となって出射する。
一方、図４（ｂ）に示すように、透明導電基板２２，２３の間に電圧を印加した場合、液晶４１は散乱液晶セル１３の厚さ方向に配向し、ランダムポリマー４２や液晶ポリマー４３とは異なる方向に配向した状態をなす。したがって、透明導電基板２３側から散乱液晶セル１３に入射した光は、液晶４１、ランダムポリマー４２および液晶ポリマー４３によって散乱されて、散乱液晶セル１３から散乱光となって出射する。
【００３１】
図５は、図３（ｂ）に示すように、散乱液晶セル１３を構成する液晶３１を配向させるか、あるいは、図４（ａ）に示すように、散乱液晶セル１３を構成する液晶４１を配向させて、調光装置１０を用いた場合を説明する概略図であり、（ａ）は平面図、（ｂ）は導光体の一端面側から見た正面図である。
このとき、光源部１１からの光が、反射ミラー１４の反射面１４ａで反射して、その反射光が、散乱液晶セル１３に入射すると、反射光は散乱液晶セル１３内の液晶によって散乱されることなく、指向性を有する光として、一端面１２ａから導光体１２に入射する。したがって、導光体１２の上面１２ｂから出射する光は、導光体１２の幅方向に拡がることなく、狭い出射角で出射する。導光体１２の上面１２ｂから出射する光の出射角は、例えば、図７の破線で示すように、極めて狭くなる。
【００３２】
また、図６は、図３（ａ）に示すように、散乱液晶セル１３を構成する液晶３１が配向させない状態、あるいは、図４（ｂ）に示すように、散乱液晶セル１３を構成する液晶４１を配向させない状態で、調光装置１０を用いた場合を説明する概略図であり、（ａ）は平面図、（ｂ）は導光体の一端面側から見た正面図である。
このとき、光源部１１からの光が、反射ミラー１４の反射面１４ａで反射して、その反射光が、散乱液晶セル１３に入射すると、反射光は散乱液晶セル１３内の液晶によって散乱され、散乱光となって、一端面１２ａから導光体１２に入射する。したがって、導光体１２の上面１２ｂから出射する光は、導光体１２の幅方向に拡がり、広い出射角で出射する。導光体１２の上面１２ｂから出射する光の出射角は、例えば、図７の実線で示すように、広くなる。
【００３３】
このように、散乱液晶セル１３を用いることにより、調光装置１０から出射する光を、指向性を有する光と散乱光とに切り替えることができるので、光源部１１は、導光体１２の一端面１２ａ側にのみ設置すればよく、また、導光体１２も従来のように積層することなく、１層のみ用いればよい。
また、光源部１１を、導光体１２の一端面１２ａ側にのみ設置することによって、散乱液晶セル１３を透過する光の指向性の切り替えの前後において、光源部１１からの光の進行方向は変わらない。これにより、導光体１２において、出射光を均一にするための設計（導波光立ち上げ用の構造の間引きなど）が、入射光が指向性を有する光または散乱光のいずれであっても、有効に機能する。したがって、散乱液晶セル１３を透過する光の指向性の切り替えの前後において、照明装置１０からの出射光の輝度の均一性をある程度保つことができる。
【００３４】
光源部１１を構成する光源としては、ＬＥＤ、無機ＥＬ、有機ＥＬなどが挙げられる。
【００３５】
導光体１２は、シート状をなしており、ガラス、石英などからなる無機材料基板、ポリエチレンテレフタレート、ポリカーボネート、ポリイミド、ポリメタクリル酸メチル（ポリメチルメタクリレート、ＰＭＭＡ）などからなるプラスチック基板などから構成されている。
【００３６】
散乱液晶セル１３を構成する透明導電基板２２，２３の透明基板２４，２６は、シート状をなしており、ガラス、石英などからなる無機材料基板、ポリエチレンテレフタレート、ポリカーボネート、ポリイミド、ポリメタクリル酸メチル（ポリメチルメタクリレート、ＰＭＭＡ）などからなるプラスチック基板などから構成されている。
散乱液晶セル１３を構成する透明導電基板２２，２３の透明導電膜２５，２７は、インジウム錫酸化物（Ｉｎｄｉｕｍ  Ｔｉｎ  Ｏｘｉｄｅ、ＩＴＯ）などから構成されている。
【００３７】
反射ミラー１４としては、レンズ１５の外面に形成されたアルミニウムの蒸着膜、レンズ１５の外面に貼着された誘電体ミラーなどが挙げられる。そして、反射ミラー１４では、レンズ１５と接する面が反射面１４ａとなっている。
反射ミラー１４が誘電体ミラーからなる場合、１つの誘電体ミラーが単純に設置される場合と、２つ以上の誘電体ミラーが光学接着されて設置される場合とがある。
【００３８】
レンズ１５は、ガラス、石英などからなる無機材料、ポリメタクリル酸メチル（ポリメチルメタクリレート、ＰＭＭＡ）などからなるプラスチックなどの光透過性の材料から構成されている。また、レンズ１５は、外側の骨格部分が前記の材料からなり、内部が中空構造をなしていてもよく、あるいは、全体が前記の材料からなる中実構造をなしていてもよい。
【００３９】
（２）第二実施形態
図８は、調光装置の第二実施形態を示す概略図であり、（ａ）は側面図、（ｂ）は（ａ）の一部を拡大した斜視図である。
調光装置５０は、光源部５１と、光源部５１に対向して配置され、光源部５１からの光がその一端面５２ａ側から導入されるとともに、光源部５１からの光をその長手方向に導光する導光体５２と、光源部５１と導光体５２の一端面５２ａとの間に設けられた液晶レンズ５３とから概略構成されている。
本実施形態では、光源部５１からの光に指向性を変化させる配光変換素子として、液晶レンズ５３を用いている。
【００４０】
液晶レンズ５３としては、特に限定されるものではなく、電圧を印加することにより屈折率が変化するものであれば、公知の液晶レンズを適用することができる。液晶レンズ５３としては、例えば、第一透明基板５４と、第二透明基板５５と、第一透明電極５６と、第二透明電極５７と、絶縁性スペーサ５８と、液晶層５９とから構成される単位が複数連設されたものが用いられる。
【００４１】
光源部５１、導光体５２としては、上述の第一実施形態と同様のものが用いられる。
【００４２】
図９（ａ）は、液晶レンズ５３に電圧を印加せずに、調光装置５０を用いた場合を説明する概略側面図である。
このとき、液晶レンズ５３を構成する液晶が、液晶レンズ５３の厚さ方向に配向しているので、光源部５１からの光が液晶レンズ５３に入射すると、その入射光は液晶レンズ５３内の液晶によって散乱されることなく、指向性を有する光として、一端面５２ａから導光体５２に入射する。したがって、導光体５２の上面５２ｂから出射する光は、導光体５２の幅方向に拡がることなく、狭い出射角で出射する。
【００４３】
図９（ｂ）は、液晶レンズ５３に電圧を印加して、調光装置５０を用いた場合を説明する概略側面図である。
このとき、液晶レンズ５３を構成する液晶が、液晶レンズ５３の厚さ方向に配向することなく、散乱するので、光源部５１からの光が液晶レンズ５３に入射すると、その入射光は液晶レンズ５３内の液晶によって散乱され、散乱光となって、一端面５２ａから導光体５２に入射する。したがって、導光体５２の上面５２ｂから出射する光は、導光体５２の幅方向に拡がり、広い出射角で出射する。
【００４４】
（３）第三実施形態
図１０は、調光装置の第三実施形態を示す概略図であり、（ａ）は平面図、（ｂ）は（ａ）のＢ−Ｂ線に沿う断面図である。
調光装置６０は、光源部６１と、光源部６１に対向して配置され、光源部６１からの光がその一端面６２ａ側から導入されるとともに、光源部６１からの光をその長手方向に導光する導光体６２と、光源部６１と導光体６２の一端面６２ａとの間に、挿抜可能に設けられた散乱体６３と、光源部６１の導光体６２の一端面６２ａと対向する面６１ａとは反対の面側に設けられ、光源部６１からの光を反射する反射面６４ａを有する反射ミラー６４を備えたパラボラミラー形状のレンズ６５とから概略構成されている。
本実施形態では、光源部６１からの光に指向性を変化させる配光変換素子として、散乱体６３を用いている。
【００４５】
散乱体６３の材料としては、光透過性の樹脂中に光散乱性粒子を分散したものを用いることが好ましい。
光散乱性粒子として、無機材料により構成された粒子（無機微粒子）を用いる場合には、例えば、シリカビーズ（屈折率：１．４４）、アルミナビーズ（屈折率：１．６３）、酸化チタンビーズ（屈折率  アナタース型：２．５０、ルチル型：２．７０）、酸化ジルコニアビーズ（屈折率：２．０５）、酸化亜鉛ビーズ（屈折率：２．００）、チタン酸バリウム（ＢａＴｉＯ３）（屈折率：２.４）などが挙げられる。
【００４６】
光散乱性粒子として、有機材料により構成された粒子（有機微粒子）を用いる場合には、例えば、ポリメチルメタクリレートビーズ（屈折率：１．４９）、アクリルビーズ（屈折率：１．５０）、アクリル−スチレン共重合体ビーズ（屈折率：１．５４）、メラミンビーズ（屈折率：１．５７）、高屈折率メラミンビーズ（屈折率：１．６５）、ポリカーボネートビーズ（屈折率：１．５７）、スチレンビーズ（屈折率：１．６０）、架橋ポリスチレンビーズ（屈折率：１．６１）、ポリ塩化ビニルビーズ（屈折率：１．６０）、ベンゾグアナミン−メラミンホルムアルデヒドビーズ（屈折率：１．６８）、シリコーンビーズ（屈折率：１．５０）などが挙げられる。
【００４７】
光散乱性粒子と混合して用いる樹脂材料としては、例えば、アクリル樹脂（屈折率：１．４９）、メラミン樹脂（屈折率：１．５７）、ナイロン（屈折率：１．５３）、ポリスチレン（屈折率：１．６０）、メラミンビーズ（屈折率：１．５７）、ポリカーボネート（屈折率：１．５７）、ポリ塩化ビニル（屈折率：１．６０）、ポリ塩化ビニリデン（屈折率：１．６１）、ポリ酢酸ビニル（屈折率：１．４６）、ポリエチレン（屈折率：１．５３）、ポリメタクリル酸メチル（屈折率：１．４９）、ポリＭＢＳ（屈折率：１．５４）、中密度ポリエチレン（屈折率：１．５３）、高密度ポリエチレン（屈折率：１．５４）、テトラフルオロエチレン（屈折率：１．３５）、ポリ三フッ化塩化エチレン（屈折率：１．４２）、ポリテトラフルオロエチレン（屈折率：１．３５）などが挙げられる。
【００４８】
散乱体６３は、手動または微小電子機械システム（ＭＥＭＳ）制御（アクチュエーター）などによって、光源部６１と導光体６２の一端面６２ａとの間に、挿抜可能となっている。
【００４９】
光源部６１、導光体６２、反射ミラー６４、レンズ６５としては、上述の第一実施形態と同様のものが用いられる。
【００５０】
図１１は、光源部と導光体の一端面との間に、散乱体を挿入していない状態を示す概略図であり、（ａ）は平面図、（ｂ）は導光体の一端面側から見た正面図、（ｃ）は（ａ）のＣ−Ｃ線に沿う断面図である。
このとき、光源部６１からの光が、反射ミラー６４の反射面６４ａで反射して、その反射光が、導光体６２側に向かうが、散乱体６３を透過しないので、指向性を有する光として、一端面６２ａから導光体６２に入射する。したがって、導光体６２の上面６２ｂから出射する光は、導光体６２の幅方向に拡がることなく、狭い出射角で出射する。
【００５１】
図１２は、光源部と導光体の一端面との間に、散乱体を挿入した状態を示す概略図であり、（ａ）は平面図、（ｂ）は導光体の一端面側から見た正面図、（ｃ）は（ａ）のＤ−Ｄ線に沿う断面図である。
このとき、光源部６１からの光が、反射ミラー６４の反射面６４ａで反射して、その反射光が、散乱体６３に入射すると、反射光は散乱体６３内の光散乱性粒子によって散乱され、散乱光となって、一端面６２ａから導光体６２に入射する。したがって、導光体６２の上面６２ｂから出射する光は、導光体６２の幅方向に拡がり、広い出射角で出射する。
【００５２】
このように、散乱体６３を、光源部６１と導光体６２の一端面６２ａとの間に挿抜可能に設けることにより、調光装置６０から出射する光を、指向性を有する光と散乱光とに切り替えることができる。
【００５３】
（４）第四実施形態
図１３は、調光装置の第四実施形態を示す概略断面図である。
調光装置７０は、光源部７１と、光源部７１に対向して配置され、光源部７１からの光がその一端面７２ａ側から導入されるとともに、光源部７１からの光をその長手方向に導光する導光体７２と、光源部７１の導光体７２の一端面７２ａと対向する面７１ａとは反対の面側に設けられ、光源部７１からの光を反射する反射面７３ａを有する反射ミラー７３を備えたパラボラミラー形状のレンズ７４と、光源部７１およびレンズ７４と導光体７２の一端面７２ａとの間に設けられ、光源部７１およびレンズ７４と導光体７２の一端面７２ａとを光学接着が可能なゲル７５と、導光体７２の一端面７２ａに設けられた散乱パターン７６と、ゲル７５と導光体７２の一端面７２ａとの境界部を、導光体７２の厚さ方向から挟持する一対の反射板７７，７８とから概略構成されている。
本実施形態では、反射ミラー７３とレンズ７４が入光部を構成している。また、本実施形態では、光源部７１からの光に指向性を変化させる配光変換素子として、ゲル７５を用いている。
【００５４】
ゲル７５としては、特に限定されるものではないが、光透過性であり、光源部７１およびレンズ７４と導光体７２の一端面７２ａとを光学接着が可能なものであれば、いかなるものでも用いられる。
また、ゲル７５と導光体７２の一端面７２ａとの境界部は、手動または微小電子機械システム（ＭＥＭＳ）制御（アクチュエーター）などによって、導光体７２の長手方向に沿って可動するようになっている。これにより、ゲル７５と導光体７２の一端面７２ａとは、所定の間隔を置いて離隔した状態と、互いに接触した状態とをなすようになっている。
【００５５】
散乱パターン７６は、導光体７２の一端面７２ａに形成された凹凸パターンなどである。
【００５６】
反射板７７，７８としては、特に限定されるものではないが、ゲル７５および導光板７２よりも屈折率の低い材料、あるいは、金属などから構成されるものが用いられる。
【００５７】
光源部７１、導光体７２、反射ミラー７３、レンズ７４としては、上述の第一実施形態と同様のものが用いられる。
【００５８】
図１４（ａ）は、ゲルと導光体の一端面とが所定の間隔を置いて離隔して調光装置を用いた状態を示す概略断面図である。
このとき、光源部７１からの光が、反射ミラー７３の反射面７３ａで反射して、その反射光が、ゲル７５を透過し、さらに、散乱体パターン７６を透過すると、反射光は散乱体パターン７６によって散乱され、散乱光となって、一端面７２ａから導光体７２に入射する。したがって、導光体７２の上面７２ｂから出射する光は、導光体７２の幅方向に拡がり、広い出射角で出射する。
【００５９】
図１４（ｂ）は、ゲルと導光体の一端面とが互いに接触した状態で調光装置を用いた状態を示す概略断面図である。
このとき、光源部７１からの光が、反射ミラー７３の反射面７３ａで反射して、その反射光が、ゲル７５を透過し、さらに、散乱体パターン７６を透過しても、反射光は散乱体パターン７６によって散乱されず、指向性を有する光として、一端面７２ａから導光体７２に入射する。したがって、導光体７２の上面７２ｂから出射する光は、導光体７２の幅方向に拡がることなく、狭い出射角で出射する。
【００６０】
このように、光源部７１およびレンズ７４と導光体７２の一端面７２ａとを光学接着が可能なゲル７５を設けることにより、調光装置７０から出射する光を、指向性を有する光と散乱光とに切り替えることができる。
【００６１】
なお、本実施形態では、反射ミラー７３とレンズ７４が入光部を構成する場合を例示したが、本実施形態はこれに限定されない。本実施形態にあっては、入光部が楔形状の導光体、凸レンズなどであってもよい。
【００６２】
（５）第五実施形態
図１５は、調光装置の第五実施形態を示す概略図であり、（ａ）は平面図、（ｂ）は側面図である。
調光装置８０は、光源部８１と、光源部８１に対向して配置され、光源部８１からの光がその一端面８２ａ側から導入される楔形状の導光体８２と、導光体８２の側面（斜面８２ｂと対向する面）８２ｃに対向し、光の入射面（導光体８２の側面８２ｃと対向する面）８３ａが鋸刃形状をなすプリズム８３と、導光体８２およびプリズム８３によって導かれた、光源部８１からの光をその長手方向に導光する導光体８４と、プリズム８３と導光体８４の一端面８４ａとの間に設けられた散乱液晶セル８５とから概略構成されている。
本実施形態では、光源部８１からの光に指向性を変化させる配光変換素子として、導光体８２とプリズム８３を用いている。
【００６３】
導光体８２は、ガラス、石英などからなる無機材料、ポリメタクリル酸メチル（ポリメチルメタクリレート、ＰＭＭＡ）などからなるプラスチックなどの光透過性の材料から構成されている。
【００６４】
プリズム８３は、ガラス、石英などからなる無機材料、ポリメタクリル酸メチル（ポリメチルメタクリレート、ＰＭＭＡ）などからなるプラスチックなどの光透過性の材料から構成されている。
【００６５】
光源部８１、導光体８４としては、上述の第一実施形態と同様のものが用いられる。
【００６６】
図１６に示すように、調光装置８０では、光源部８１から導光体８２に入射された光が、導光体８２の斜面８２ｂと側面８２ｃで反射を繰り返して、導光体８２内を伝搬するが、その光の一部が側面８２ｃを透過する。導光体８２の側面８２ｃを透過した光が、側面８２ｃを出射する角度αが、プリズム８３の入射面８３ａにおいて全反射する角度未満である場合、その光はプリズム８３の入射面８３ａによって散乱されず、指向性を有する光として、一端面８４ａから導光体８４に入射する。したがって、導光体８４の上面８４ｂから出射する光は、導光体８４の幅方向に拡がることなく、狭い出射角で出射する。
【００６７】
このように、光源部８１からの光がその一端面８２ａ側から導入される楔形状の導光体８２と、導光体８２の側面８２ｃに対向し、光の入射面８３ａが鋸刃形状をなすプリズム８３とを設けることにより、調光装置８０から出射する光を、指向性を有する光とすることができる。
【００６８】
なお、本実施形態では、光源部８１と導光体８２がそれぞれ１つずつ設けられた場合を例示したが、本実施形態はこれに限定されない。本実施形態にあっては、図１７に示すように、光源部８１と導光体８２からなる単位を複数設けてもよい。
【００６９】
（６）第六実施形態
図１８は、調光装置の第六実施形態を示す概略平面図であり、調光装置を構成するパラボラミラー形状のレンズを示す図である。
本実施形態のパラボラミラー形状のレンズ９１は、光源部１０１の導光体（図示略）の一端面と対向する面１０１ａとは反対の面側に設けられている。レンズ９１は、光源部１０１からの光を反射する反射面９２ａを有する反射ミラー９２と、反射ミラー９２の反射面９２ａに沿って設けられた散乱液晶セル９３とを備えている。
本実施形態では、光源部１０１からの光に指向性を変化させる配光変換素子として、散乱液晶セル９３を備えたレンズ９１を用いている。
【００７０】
本実施形態では、散乱液晶セル９３の厚さと、レンズ９１と散乱液晶セル９３の屈折率差とによって、調光装置からの出射光の指向性が変化する。
したがって、調光装置からの出射光の指向性に与える影響を小さくするためには、散乱液晶セル９３の厚さが薄いことが好ましく、レンズ９１と散乱液晶セル９３の屈折率差が小さいことが好ましい。
光源部１０１、レンズ９１としては、上述の第一実施形態と同様のものが用いられる。
【００７１】
ここで、図１９を参照して、例えば、散乱液晶セル９３を構成する高分子分散液晶としてリバースモード高分子分散液晶を用いた場合について説明する。
図１９（ａ）に示すように、散乱液晶セル９３に電圧を印加していない場合、液晶が散乱液晶セル９３の厚さ方向と垂直な方向に配向するので、散乱液晶セル９３は透明になる。したがって、光源部１０１からの光が、反射ミラー９２の反射面９２ａで反射して、その反射光が、散乱液晶セル９３を透過しても、反射光は液晶によって散乱されずることなく、散乱液晶セル９３から指向性を有する光として出射する。
一方、図１９（ｂ）に示すように、散乱液晶セル９３に電圧を印加した場合、液晶が散乱液晶セル９３の厚さ方向に配向する。したがって、光源部１０１からの光が、反射ミラー９２の反射面９２ａで反射して、その反射光が、散乱液晶セル９３に入射すると、その光が液晶によって散乱されて、散乱液晶セル９３から散乱光となって出射する。
【００７２】
なお、本実施形態では、散乱液晶セル９３を構成する高分子分散液晶としてノーマルモード高分子分散液晶を用いてもよい。ノーマルモード高分子分散液晶を用いた場合、散乱液晶セル９３に対する電圧の印加の有無による出射光の指向性は、リバースモード高分子分散液晶を用いた場合とは逆になる。
【００７３】
（７）第七実施形態
図２０は、調光装置の第七実施形態を示す概略平面図であり、調光装置を構成するパラボラミラー形状のレンズを示す図である。
本実施形態のパラボラミラー形状のレンズ１１１は、光源部１２１からの光を反射する反射面１１２ａを有する反射ミラー１１２と、微小電子機械システム（ＭＥＭＳ）制御（アクチュエーター）により、光源部１２１側に出し入れ可能な複数の突起１１３とを備えている。
複数の突起１１３は、反射ミラー１１２の反射面１１２ａに沿って、所定の間隔を置いて設けられている。
本実施形態では、光源部１２１からの光に指向性を変化させる配光変換素子として、突起１１３を備えたレンズ１１１を用いている。
【００７４】
図２１（ａ）は、光源部１２１側に複数の突起１１３を突出させずに調光装置を用いた状態を示す概略平面図である。
このとき、光源部１２１からの光が、反射ミラー１１２の反射面１１２ａで反射して、その反射光が、再びレンズ１１１に入射するが、反射光はレンズ１１１内で散乱されず、レンズ１１１から指向性を有する光として出射する。
【００７５】
図２１（ｂ）は、光源部１２１側に複数の突起１１３を突出させて調光装置を用いた状態を示す概略平面図である。
このとき、光源部１２１からの光が、反射ミラー１１２の反射面１１２ａで反射して、その反射光が、再びレンズ１１１に入射し、反射光は、複数の突起１１３によって散乱されて、レンズ１１１から散乱光となって出射する。
なお、本実施形態では、突起１１３を反射ミラー１１２の反射面１１２ａよりも内側に収納して（引っ込めて）、反射ミラー１１２の反射面１１２ａに溝や穴を形成して、その溝や穴によって反射光を散乱させてもよい。
【００７６】
（８）第八実施形態
図２２は、調光装置の第八実施形態を示す概略平面図であり、調光装置を構成する光源部およびパラボラミラー形状のレンズを示す図である。
本実施形態では、光源部１３１が、パラボラミラー形状のレンズ１３２内において移動可能に設けられている。すなわち、光源部１３１は、その光の出射面１３１ａが、レンズ１３２の導光体（図示略）と対向する面（以下、「一方の面」と言う。）１３２ａと同一面上となる位置から、出射面１３１ａがレンズ１３２の内側となる位置まで、レンズ１３２の一方の面１３２ａと垂直な方向に移動可能となっている。
また、レンズ１３２は、光源部１３１からの光を反射する反射面１３３ａを有する反射ミラー１３３を備えている。
光源部１３１としては、上述の第一実施形態と同様のものが用いられる。
本実施形態では、光源部１３１からの光に指向性を変化させる配光変換素子として、レンズ１３２を用いている。
【００７７】
光源部１３１は、その光の出射面１３１ａが、レンズ１３２の導光体（図示略）と対向する面１３２ａと同一面上に位置するときに、導光体の一端面に、出射光の焦点が合うように設けられている。したがって、この位置に光源部１３１があるとき、光源部１３１から導光体に入射された光は、指向性を有する光として、導光体内を伝搬する。
一方、光源部１３１の出射面１３１ａが、レンズ１３２の一方の面１３２ａよりも内側にあるとき、光源部１３１からの出射光の焦点は、導光体の一端面に合わない。したがって、この位置に光源部１３１があるとき、光源部１３１から導光体に入射された光は、散乱光として、導光体内を伝搬する。
【００７８】
（９）第九実施形態
図２３は、調光装置の第九実施形態を示す概略断面図である。
調光装置１４０は、光源部１４１と、光源部１４１に対向して配置され、光源部１４１からの光がその一端面１４２ａ側から導入されるとともに、光源部１４１からの光をその長手方向に導光する導光体１４２と、光源部１４１の導光体１４２の一端面１４２ａと対向する面１４１ａとは反対の面側に設けられ、光源部１４１からの光を反射する反射面１４３ａを有する反射ミラー１４３を備えたパラボラミラー形状のレンズ１４４とから概略構成されている。
調光装置１４０では、導光体１４２とレンズ１４４とが、光源部１４１を介して対向するように配設されている。すなわち、導光体１４２とレンズ１４４との間には、光源部１４１の厚さによる隙間が形成されている。そして、その隙間を通して、光源部１４１の配線１４５，１４６が電源（図示略）に接続されている。
本実施形態では、光源部１４１からの光に指向性を変化させる配光変換素子として、レンズ１４４を用いている。
【００７９】
また、光源部１４１は、レンズ１４４の導光体１４２と対向する面（以下、「一方の面」と言う。）１４４ａの中央部に配設されている。そして、光源部１４１を中心として、レンズ１４４は回転可能となっている。
【００８０】
光源部１４１、導光体１４２、反射ミラー１４３、レンズ１４４としては、上述の第一実施形態と同様のものが用いられる。
【００８１】
本実施形態では、図２４（ａ）に示すように、光源部１４１の長手方向が、レンズ１４４の突出面を横切る断面と垂直に交わるときに、導光体１４２の一端面１４２ａに、光源部１４１の出射光の焦点が合うようになっている。したがって、この位置にレンズ１４４があるとき、光源部１４１から導光体１４２に入射された光は、指向性を有する光として、導光体１４２内を伝搬する。
一方、図２４（ｂ）に示すように、光源部１４１の長手方向が、レンズ１４４の突出面を横切る断面と平行であるとき、光源部１４１からの出射光の焦点は、導光体１４２の一端面１４２ａに合わない。したがって、この位置にレンズ１４４があるとき、光源部１４１から導光体１４２に入射された光は、散乱光として、導光体１４２内を伝搬する。
【００８２】
（１０）第十実施形態
図２５は、調光装置の第十実施形態を示す概略断面図である。
調光装置１５０は、光源部１５１と、光源部１５１に対向して配置され、光源部１５１からの光がその一端面１５２ａ側から導入されるとともに、光源部１５１からの光をその長手方向に導光する導光体１５２と、光源部１５１の導光体１５２の一端面１５２ａと対向する面１５１ａとは反対の面側に設けられ、光源部１５１からの光を反射する反射面１５３ａを有する反射ミラー１５３を備えたパラボラミラー形状のレンズ１５４とから概略構成されている。
調光装置１５０では、導光体１５２とレンズ１５４とが、光源部１５１を介して対向するように配設されている。すなわち、導光体１５２とレンズ１５４との間には、光源部１５１の厚さによる隙間が形成されている。そして、その隙間を通して、光源部１５１の配線１５５，１５６が電源（図示略）に接続されている。
本実施形態では、光源部１５１からの光に指向性を変化させる配光変換素子として、レンズ１５４を用いている。
【００８３】
また、光源部１５１は、レンズ１５４の導光体１５２と対向する面（以下、「一方の面」と言う。）１５４ａの中央部に配設されている。そして、光源部１５１は、レンズ１５４の一方の面１５４ａ上において、回転可能となっている。
【００８４】
光源部１５１、導光体１５２、反射ミラー１５３、レンズ１５４としては、上述の第一実施形態と同様のものが用いられる。
【００８５】
本実施形態では、図２６（ａ）に示すように、光源部１５１の長手方向が、レンズ１５４の突出面を横切る断面と垂直に交わるときに、導光体１５２の一端面１５２ａに、光源部１５１の出射光の焦点が合うようになっている。したがって、この位置にレンズ１５４があるとき、光源部１５１から導光体１５２に入射された光は、指向性を有する光として、導光体１５２内を伝搬する。
一方、図２６（ｂ）に示すように、光源部１５１の長手方向が、レンズ１５４の突出面を横切る断面と平行であるとき、光源部１５１からの出射光の焦点は、導光体１５２の一端面１５２ａに合わない。したがって、この位置にレンズ１５４があるとき、光源部１５１から導光体１５２に入射された光は、散乱光として、導光体１５２内を伝搬する。
【００８６】
（１１）第十一実施形態
図２７は、調光装置の第十一実施形態を示す概略図であり、（ａ）は平面図、（ｂ）は（ａ）のＥ−Ｅ線に沿う断面図である。
調光装置１６０は、光源部１６１と、光源部１６１に対向して配置され、光源部１６１からの光がその一端面１６２ａ側から導入されるとともに、光源部１６１からの光をその長手方向に導光する楔形状の導光体１６２と、光源部１６１と導光体１６２の一端面１６２ａとの間に設けられた散乱液晶セル１６３と、光源部１６１の導光体１６２の一端面１６２ａと対向する面１６１ａとは反対の面側に設けられ、光源部１６１からの光を反射する反射面１６４ａを有する反射ミラー１６４を備えたパラボラミラー形状のレンズ１６５と、レンズ１６５の上面１６５ｂ上に設けられ、その上面１６５ｂと対向する面１６６ａが鋸刃形状をなすプリズム１６６とから概略構成されている。
本実施形態では、光源部１６１からの光に指向性を変化させる配光変換素子として、散乱液晶セル６３を用いている。
【００８７】
導光体１６２は、ガラス、石英などからなる無機材料、ポリメタクリル酸メチル（ポリメチルメタクリレート、ＰＭＭＡ）などからなるプラスチックなどの光透過性の材料から構成されている。
【００８８】
プリズム１６６は、ガラス、石英などからなる無機材料、ポリメタクリル酸メチル（ポリメチルメタクリレート、ＰＭＭＡ）などからなるプラスチックなどの光透過性の材料から構成されている。
【００８９】
光源部１６１、散乱液晶セル１６３、反射ミラー１６４としては、上述の第一実施形態と同様のものが用いられる。
【００９０】
調光装置１６０では、例えば、散乱液晶セル１６３を構成する液晶を配向させた状態で、光源部１６１からの光が、反射ミラー１６４の反射面１６４ａで反射して、その反射光が、散乱液晶セル１６３に入射すると、反射光は散乱液晶セル１６３内の液晶によって散乱されることなく、指向性を有する光として、一端面１６２ａから導光体１６２に入射する。このとき、導光体１６２に入射した光は、導光体１６２の幅方向に広がりをもたない光となっている。そして、この導光体１６２に入射した光は、導光体１６２の上面１６２ｂと斜面１６２ｃで反射を繰り返して、導光体１６２内を伝搬するに従って、導光体１６２の厚さ方向にも広がりをもたない光となる。したがって、導光体１６２の上面１６２ｂから出射する光は、導光体１６２の幅方向および厚さ方向に拡がることなく、狭い出射角で出射する。導光体１６２の上面１６２ｂから出射する光の出射角は、例えば、図２８に示すように、導光体１６２の幅方向および厚さ方向において、極めて狭くなる。
【００９１】
（１２）第十二実施形態
図２９は、調光装置の第十二実施形態を示す概略平面図であり、（ａ）は全体図、（ｂ）は（ａ）において破線αで囲んだ領域を拡大した図である。
調光装置１７０は、光源部１７１と、光源部１７１に対向して配置され、光源部１７１からの光がその一端面１７２ａ側から導入されるとともに、光源部１７１からの光をその長手方向に導光する導光体１７２と、光源部１７１の導光体１７２の一端面１７２ａと対向する面１７１ａとは反対の面側に設けられ、光源部１７１からの光を反射する反射面１７３ａを有するエレクトロクロミックミラー１７３を備えたパラボラミラー形状のレンズ１７４と、エレクトロクロミックミラー１７３の光源部１７１と対向する面とは反対の面側に、エレクトロクロミックミラー１７３を透過した光を反射する反射手段１７５とから概略構成されている。
また、光源部１７１、エレクトロクロミックミラー１７３、レンズ１７４および反射手段１７５からなる単位が、導光体１７２の一端面１７２ａに沿って複数設けられている。
本実施形態では、光源部１７１からの光に指向性を変化させる配光変換素子として、エレクトロクロミックミラー１７３を備えたレンズ１７４を用いている。
【００９２】
エレクトロクロミックミラー１７３は、電界の印加により、反射面１７３ａにおける光の反射と透過を切り替えることができるものである。
【００９３】
反射手段１７５の内側面１７５ａ、１７５ｂ、１７５ｃには、一般的な鏡（反射ミラー）が設けられているか、あるいは、上述の第三実施形態と同様に散乱体が設けられている。これにより、光源部１７１から発せられ、エレクトロクロミックミラー１７３を透過した光を、導光体１７２側に反射することができる。
【００９４】
光源部１７１、導光体１７２、レンズ１７４としては、上述の第一実施形態と同様のものが用いられる。
【００９５】
反射手段１７５は、ガラス、石英などからなる無機材料、ポリメタクリル酸メチル（ポリメチルメタクリレート、ＰＭＭＡ）などからなるプラスチックなどの光透過性の材料から構成されている。また、反射手段１７５は、外側の骨格部分が前記の材料からなり、内部が中空構造をなしていてもよく、あるいは、全体が前記の材料からなる中実構造をなしていてもよい。
【００９６】
図３０（ａ）は、エレクトロクロミックミラー１７３に電圧を印加した場合、調光装置を用いた状態を示す概略平面図である。
このとき、光源部１７１からの光が、エレクトロクロミックミラー１７３の反射面１７３ａで反射して、その反射光が、反射手段１７５の内側面１７５ａ、１７５ｂ、１７５ｃに設けられた鏡や散乱体によって散乱されず、指向性を有する光として、一端面１７２ａから導光体１７２に入射する。したがって、導光体１７２の上面１７２ｂから出射する光は、導光体１７２の幅方向に拡がることなく、狭い出射角で出射する。
【００９７】
図３０（ｂ）は、エレクトロクロミックミラー１７３に電圧を印加しない場合、調光装置を用いた状態を示す概略平面図である。
このとき、光源部１７１からの光が、エレクトロクロミックミラー１７３を透過して、その透過光が、反射手段１７５の内側面１７５ａ、１７５ｂ、１７５ｃに設けられた鏡や散乱体によって散乱され、散乱光となって、一端面１７２ａから導光体１７２に入射する。したがって、導光体１７２の上面１７２ｂから出射する光は、導光体１７２の幅方向に拡がり、広い出射角で出射する。
【００９８】
「表示装置」
図３１は、表示装置の一実施形態を示す概略斜視図である。
本実施形態の表示装置１８０は、液晶セル１８１と、液晶セル１８１の両面に設けられた偏光板１８２，１８３と、液晶セル１８１の表示画面１８１ａとは反対側の面１８１ｂ側に配置されたバックライト１８４とから概略構成されている。
表示装置１８０において、バックライト１８４は、上述の第一〜第十二実施形態の調光装置のいずれかから構成されている。
【００９９】
表示装置１８０によれば、バックライト１８４から、指向性を有する光を出射した場合、表示装置１８０の視聴者側（液晶セル１８１の表示画面１８１ａ側）に出射される光が拡散することがないので、視野角を狭くすることができる。一方、バックライト１８４から、散乱光を出射した場合、表示装置１８０の視聴者側（液晶セル１８１の表示画面１８１ａ側）に出射される光が拡散するので、視野角を広げることができる。すなわち、バックライト１８４として、上述の第一〜第十二実施形態の調光装置のいずれかを用いることにより、表示装置１８０の視野角を調整することができる。
【０１００】
「照明装置」
（１）第一実施形態
図３２は、照明装置の第一実施形態として、シーリングライトを示す概略斜視図である。
シーリングライト１９０は、発光部１９１と、吊下線１９２と、電源コード１９３とから概略構成されている。
シーリングライト１９０において、発光部１９１は、上述の第一〜第十二実施形態の調光装置のいずれかから構成されている。
【０１０１】
シーリングライト１９０は、上述の第一〜第十二実施形態の調光装置を発光部１９１として備えることにより、光の照射する領域を調節可能な照明装置となる。
【０１０２】
（２）第二実施形態
図３３は、照明装置の第二実施形態として、照明スタンドを示す概略斜視図である。
照明スタンド２００は、発光部２０１と、スタンド２０２と、メインスイッチ２０３と、電源コード２０４とから概略構成されている。
照明スタンド２００において、発光部２０１は、上述の第一〜第十二実施形態の調光装置のいずれかから構成されている。
【０１０３】
照明スタンド２００は、上述の第一〜第十二実施形態の調光装置を発光部２０１として備えることにより、光の照射する領域を調節可能な照明装置となる。
【産業上の利用可能性】
【０１０４】
本発明は、液晶表示装置などの表示装置において使用し、その表示装置の視野角を拡大する調光装置や、光の照射する領域を調節可能な照明装置に利用することができる。
【符号の説明】
【０１０５】
１０  調光装置
１１  光源部
１２  導光体
１３  散乱液晶セル
１４  反射ミラー
１５  レンズ
２１  高分子分散液晶
２２，２３  透明導電基板
２４，２６  透明基板
２５，２７  透明導電膜
３１  液晶
３２  ランダムポリマー
４１  液晶
４２  ランダムポリマー
４３  液晶ポリマー
５０  調光装置
５１  光源部
５２  導光体
５３  液晶レンズ
５４  第一透明基板
５５  第二透明基板
５６  第一透明電極
５７  第二透明電極
５８  絶縁性スペーサ
５９  液晶層
６０  調光装置
６１  光源部
６２  導光体
６３  散乱体
６４  反射ミラー
６５  レンズ
７０  調光装置
７１  光源部
７２  導光体
７３  反射ミラー
７４  レンズ
７５  ゲル
７６  散乱パターン
７７，７８  反射板
８０  調光装置
８１  光源部
８２  導光体
８３  プリズム
８４  導光体
８５  散乱液晶セル
９１  レンズ
９２  反射ミラー
９３  散乱液晶セル
１０１  光源部
１１１  レンズ
１１２  反射ミラー
１１３  突起
１２１  光源部
１３１  光源部
１３２  レンズ
１３３  反射ミラー
１４０  調光装置
１４１  光源部
１４２  導光体
１４３  反射ミラー
１４４  レンズ
１５０  調光装置
１５１  光源部
１５２  導光体
１５３  反射ミラー
１５４  レンズ
１６０  調光装置
１６１  光源部
１６２  導光体
１６３  散乱液晶セル
１６４  反射ミラー
１６５  レンズ
１６６  プリズム
１７０  調光装置
１７１  光源部
１７２  導光体
１７３  エレクトロクロミックミラー
１７４  レンズ
１７５  反射手段
１８０  表示装置
１８１  液晶セル
１８２，１８３  偏光板
１８４  バックライト
１９０  シーリングライト
１９１  発光部
１９２  吊下線
１９３  電源コード
２００  照明スタンド
２０１  発光部
２０２  スタンド
２０３  メインスイッチ
２０４  電源コード
【図１】
2015038814.tif 000003
【図２】
2015038814.tif 000004
【図３】
2015038814.tif 000005
【図４】
2015038814.tif 000006
【図５】
2015038814.tif 000007
【図６】
2015038814.tif 000008
【図７】
2015038814.tif 000009
【図８】
2015038814.tif 000010
【図９】
2015038814.tif 000011
【図１０】
2015038814.tif 000012
【図１１】
2015038814.tif 000013
【図１２】
2015038814.tif 000014
【図１３】
2015038814.tif 000015
【図１４】
2015038814.tif 000016
【図１５】
2015038814.tif 000017
【図１６】
2015038814.tif 000018
【図１７】
2015038814.tif 000019
【図１８】
2015038814.tif 000020
【図１９】
2015038814.tif 000021
【図２０】
2015038814.tif 000022
【図２１】
2015038814.tif 000023
【図２２】
2015038814.tif 000024
【図２３】
2015038814.tif 000025
【図２４】
2015038814.tif 000026
【図２５】
2015038814.tif 000027
【図２６】
2015038814.tif 000028
【図２７】
2015038814.tif 000029
【図２８】
2015038814.tif 000030
【図２９】
2015038814.tif 000031
【図３０】
2015038814.tif 000032
【図３１】
2015038814.tif 000033
【図３２】
2015038814.tif 000034
【図３３】
2015038814.tif 000035